(57)【特許請求の範囲】
【請求項１】
起動元ソフトから起動されたヘルプウインドウを、起動元ソフトのウインドウ上に重ねて表示する場合に前記ヘルプウインドウの背景を透過して表示するヘルプ表示装置において、
前記ウインドウ上のコントロールの位置と前記ヘルプウインドウが重なるかを判断するウインドウ重複判断手段と、
前記ウインドウ重複判断手段により重なると判断された場合に、前記ヘルプウインドウ上に表示されたヘルプの内容と関係のあるコントロールのみを前記ヘルプウインドウ上で透過して表示する透過表示手段と、
を備えたことを特徴とするヘルプ表示装置。
【請求項２】
前記ヘルプの内容に関係する前記コントロール同士の対応づけおよび前記コントロールと前記ヘルプの対応付けを記憶する記憶手段を備え、
前記ウインドウ重複判断手段は、
前記記憶手段で対応づけられた前記ヘルプの内容と関係する前記コントロールのウインドウ上の位置を取得する位置情報取得手段と、
前記位置情報取得手段で得られた前記コントロールの位置が前記ヘルプウインドウに重複するかを判断するコントロール重複判断手段と
を有することを特徴とする請求項１に記載のヘルプ表示装置。
【請求項３】
透過された前記コントロールが前記ヘルプ中の文字に重複するか判断する文章重複判断手段と、
前記文章重複判断手段により重なると判断された場合、文字を前記コントロールに重ならない位置に調整する文字位置調整手段と
を備えたことを特徴とする請求項１または２に記載のヘルプ表示装置。
【請求項４】
コンピュータを、
起動元ソフトから起動されたヘルプウインドウを、起動元ソフトのウインドウ上に重ねて表示する場合に前記ヘルプウインドウの背景を透過して表示するにあたって、
コントロールの位置と前記ヘルプウインドウが重なるかを判断するウインドウ重複判断手段、
前記ウインドウ重複判断手段により重なると判断された、前記ヘルプウインドウ上に表示された前記ヘルプの内容と関係のあるコントロールのみを前記ヘルプウインドウ上で透過に表示する透過表示手段、
として機能させるためのプログラム。
【請求項５】
前記コンピュータを、
前記ヘルプの内容に関係する前記コントロール同士、および前記コントロールと前記ヘルプを対応付け、対応付けられた前記コントロールのウインドウ上の位置を取得する位置情報取得手段、
前記位置情報取得手段で得られた前記コントロールの位置が前記ヘルプウインドウに重複するかを判断するコントロール重複判断手段、
とからなる重複判断手段として機能させ、さらに
透過表示された前記コントロールについて操作が行われたかを判断する操作判断手段、
前記操作判断手段により前記コントロール上で操作が行われたと判断された操作を前記コントロールへ転送する転送手段
として機能させるための請求項４に記載のプログラム。
【発明の詳細な説明】
【技術分野】
【０００１】
本発明は、ヘルプ表示装置に関し、詳しくは起動元ソフトから起動されたヘルプウインドウを、起動元ソフトのウインドウ上に重ねて表示するヘルプ表示装置およびプログラムに関する。
【背景技術】
【０００２】
従来、起動元ソフトのウインドウから起動したヘルプウインドウと重なった部分について、ヘルプウインドウのバックグラウンドを透明にすることで表示できるようにしていた。また、重なった部分に対して操作が行われた場合、ヘルプシステムに対して送られた操作内容をアプリケーションプログラムに送りなおすことで、重なった部分への直接操作を可能としていた（例えば、特許文献１参照のこと）。
【特許文献１】特開平１１−２０３０１４号公報
【発明の開示】
【発明が解決しようとする課題】
【０００３】
しかしながら、従来のようにヘルプウインドウの重なった部分全てのバックグラウンドを透明にして表示すると、ヘルプウインドウのヘルプの内容と、起動元ソフトのウインドウのコントロールが重なった場合に判読が難しくなり、操作性を損なってしまう恐れがあった。
【０００４】
例えば、図１２は従来の印刷設定ウインドウ１２１０上にヘルプウインドウ１２２０を重ねて表示した場合の画面表示の例である。前記印刷設定ウインドウ１２１０上の「Ｏｒｉｅｎｔａｔｉｏｎ」についての前記ヘルプウインドウ１２２０を、そのバックグラウンドを透明にして表示している。そのため、前記ヘルプウインドウ１２２０の文字に前記印刷設定ウインドウ１２１０の文字やコントロール１２３０が重複してしまうために、前記ヘルプウインドウ１２２０の文字と、重なった前記印刷設定ウインドウ１２１０の文字が読みにくくなっていた。
【０００５】
本発明は、上述した問題点を解決するためになされたものであり、表示される説明と関連するコントロールのみを透過表示することにより、判読性や操作性の良いヘルプ表示装置の提供を目的とする。
【課題を解決するための手段】
【０００６】
この目的を達成するために、請求項１記載のヘルプ表示装置は起動元ソフトから起動されたヘルプウインドウを、起動元ソフトのウインドウ上に重ねて表示する場合に前記ヘルプウインドウの背景を透過して表示するヘルプ表示装置において、コントロールの位置と前記ヘルプウインドウが重なるかを判断するウインドウ重複判断手段と、前記ウインドウ重複判断手段により重なると判断された前記コントロールのうち、前記ヘルプウインドウ上に表示されたヘルプの内容と関係のある前記コントロールのみを前記ヘルプウインドウ上で透過に表示する透過表示手段とを備えたことを特徴とする。
【０００７】
また、請求項２記載のヘルプ表示装置は、請求項１に記載のヘルプ表示装置において、前記ヘルプの内容に関係する前記コントロール同士の対応づけおよび前記コントロールと前記ヘルプの対応付けを記憶する記憶手段を備え、前記ウインドウ重複判断手段は、前記記憶手段で対応づけられた前記ヘルプの内容と関係する前記コントロールのウインドウ上の位置を取得する位置情報取得手段と、前記位置情報取得手段で得られた前記コントロールの位置が前記ヘルプウインドウに重複するかを判断するコントロール重複判断手段とを
備えたことを特徴とする。
【０００８】
また、請求項３記載のヘルプ表示装置は、請求項１または２に記載のヘルプ表示装置において、透過された前記コントロールが前記ヘルプ中の文章に重複するか判断する文章重複判断手段と、前記文章重複判断手段により重なると判断された場合、文字を前記コントロールに重ならない位置に調整する文字位置調整手段を備えたことを特徴とする。
【０００９】
また、請求項４記載のプログラムは、起動元ソフトから起動されたヘルプウインドウを、起動元ソフトのウインドウ上に重ねて表示する場合に前記ヘルプウインドウの背景を透過して表示する機能を有するプログラムにおいて、コントロールの位置と前記ヘルプウインドウが重なるかを判断するウインドウ重複判断手段と、前記ウインドウ重複判断手段により重なると判断された、前記ヘルプウインドウ上に表示されたヘルプの内容と関係のあるコントロールのみを前記ヘルプウインドウ上で透過に表示する透過表示手段と、透過表示された前記コントロールについて操作が行われたかを判断する操作判断手段と、前記操作判断手段により前記コントロール上で操作が行われたと判断された操作を前記コントロールへ転送する転送手段とを備えたことを特徴とする。
【００１０】
また、請求項５記載のプログラムは、請求項４に記載のプログラムにおいて、前記ヘルプの内容に関係する前記コントロール同士、および前記コントロールと前記ヘルプを対応付け、対応付けられた前記コントロールのウインドウ上の位置を取得する位置情報取得手段、前記位置情報取得手段で得られた前記コントロールの位置が前記ヘルプウインドウに重複するかを判断するコントロール重複判断手段とからなる重複判断手段として機能させ、さらに透過表示された前記コントロールについて操作が行われたかを判断する操作判断手段、前記操作判断手段により前記コントロール上で操作が行われたと判断された操作を前記コントロールへ転送する転送手段を備えたことを特徴とする。
【発明の効果】
【００１１】
以上説明したことから明らかなように、本発明においてはヘルプウインドウを透過して表示する際にヘルプの内容と関係するコントロールのみ透過表示するようにしているので、判読性や操作性が向上する。
【００１２】
さらに、透過されたコントロールとヘルプウインドウの文章が重なった場合に文章がコントロールと重ならないように位置を調整することで、文章の判読性のみならずコントロール部への操作性が向上する。
【発明を実施するための最良の形態】
【００１３】
（第一の実施例）
[印字システムの概略構成]
以下、本発明のヘルプ表示装置を印字システムにおいて実施した実施例について、詳細に説明をする。図１は前記印字システム１００を構成するパソコン１１０と、そのパソコンに接続されたプリンタ１６０の外観図である。
【００１４】
前記パソコン１１０は本体部１２０と、ユーザの入力手段であるマウス１３０およびキーボード１４０と、画像表示手段としてのディスプレイ１５０とで構成される。前記マウス１３０と前記キーボード１４０と前記ディスプレイ１５０はそれぞれ前記本体部１２０と接続されている。
【００１５】
前記プリンタ１６０は接続手段であるケーブル１７０を介して前記パソコン１１０の前記本体部１２０に接続されている。前記プリンタ１６０と前記パソコン１１０との接続手段はケーブルに限らず、ＬＡＮなどのネットワークや、赤外線通信などの無線通信手段を
介して接続されてもよい。
[印字システムのハード構成]
図２は印字システム１００のハードの構成を表すブロック図である。パソコン１１０は、ＣＰＵ２１０、ＲＯＭ２２０、ＲＡＭ２３０、ＬＡＮインタフェース（ＬＡＮＩ／Ｆ）３１０、プリンタポートインタフェース（プリンタポートＩ／Ｆ）２９０、及びハードディスク装置（以下ＨＤＤと略す）２４０を備え、これらにより図１の前記本体部１２０が構成されている。この前記本体部１２０には、ＣＲＴ等のディスプレイ１５０、キーボード１４０、マウス１３０が接続されている（図１参照）。
【００１６】
前記ＨＤＤ２４０は、プリンタドライバ記憶領域２５０、アプリケーション記憶領域２６０、オペレーションシステム（以下、ＯＳと略す）記憶領域２７０がそれぞれ形成され、本発明における記憶手段を構成するものである。前記ＯＳ記憶領域２７０にはオペレーションシステムに関するプログラムが格納され、前記アプリケーション記憶領域２６０には文章編集ソフトなどのアプリケーションプログラムが格納されている。前記プリンタドライバ記憶領域２５０にはヘルプ機能を有するプリンタドライバプログラムが記憶され、本発明における起動元ソフト及びプログラムに相当する。前記プリンタドライバプログラムはインターネットからのダウンロードして格納される。また、ＣＤ−ＲＯＭ等の記憶媒体からインストールして格納してもよい。
【００１７】
前記ＣＰＵ２１０は、本発明におけるウインドウ重複判断手段、透過表示手段、位置情報取得手段、コントロール重複判断手段、および転送手段を構成するものである。前記ディスプレイ１５０、前記キーボード１４０、前記マウス１３０の動作も前記ＣＰＵ２１０によって処理される。前記ＲＡＭ２３０は、前記ＣＰＵ２１０に作業領域を提供するものである。前記ＲＯＭ２２０はＢＩＯＳ記憶領域２８０が形成され、前記パソコン１１０の起動などの基本的な動作を制御するＢＩＯＳプログラムが記憶されている。
【００１８】
前記プリンタ１６０は、前記プリンタ本体３２０と前記プリンタポートＩ／Ｆ２９０で構成されている。前記パソコン１１０と前記プリンタ１６０はＵＳＢなどの前記プリンタポートＩ／Ｆ２９０で接続されている。そのほかの例として、ＬＡＮインタフェース３１０や無線を介してＬＡＮなどのネットワークによって接続されてもよい。
[印字システムの動作]
次に、このハードで実行される処理について説明する。前記パソコン１１０において、前記アプリケーション記憶領域２６０に記憶されたアプリケーションを前記ＣＰＵ２１０が実行中に、印刷設定のために前記プリンタドライバがコールされると、前記プリンタドライバ記憶領域２５０に記憶されたプリンタドライバプログラムが実行されて印刷設定ウインドウが前記ディスプレイに表示される。前記パソコン１１０の前記ＣＰＵ２１０は、前記ＨＤＤ２４０中の前記プリンタドライバ記憶領域２５０に記憶された前記プリンタドライバプログラムにもとづいて次のようなヘルプ表示に関する処理を実行する。
【００１９】
図３は、前記ＣＰＵ２１０が前記ＨＤＤ２４０に記憶された前記プリンタドライバプログラムに基づいて実行するヘルプ表示に関する処理を表すフローチャートである。ＳＴＡＲＴの状態では、ユーザの操作により文章編集ソフトなどで編集された印刷対象の印刷設定をするために、前記印刷設定ウインドウが前記プリンタドライバ記憶領域２５０中の前記プリンタドライバプログラムの実行に伴って前記ディスプレイ１５０上に表示されている。
【００２０】
まずＳ１にて、起動元ソフトである前記プリンタドライバプログラムの実行に伴って前記ディスプレイ１５０上に表示された前記印刷設定用ウインドウ５７０（図４参照）が閉じられたか判断する。閉ボタン７７０（図４参照）がユーザによってクリックされて閉じられたと判断された場合（Ｓ１：Ｙ）は、前記印刷設定ウインドウ５７０の表示を中止し
、処理を終了する。Ｓ１において閉じられていないと判断された場合（Ｓ１：Ｎ）は、さらにＳ２に進み前記マウス１３０や前記キーボード１４０などの入力部からヘルプ画面表示操作が行われたかを判断する。
【００２１】
ここで、Ｓ２における判断処理について、より具体的に説明する。図４はコントロールＡ５１０，コントロールＢ５２０，コントロールＣ５３０，コントロールＤ５４０，コントロールＥ５５０，コントロールＦ５６０をもつ前記印刷設定ウインドウ５７０の表示画面の簡略図である。前記コントロールＡ５１０，前記コントロールＢ５２０，前記コントロールＦ５６０は共通するヘルプ内容と関連づけられており、前記コントロールＣ５３０，前記コントロールＤ５４０，前記コントロールＥ５６０はそれぞれ異なるヘルプ内容と関連している。ユーザは前記コントロールＡ５１０について前記ヘルプウインドウを表示するために前記マウス１３０の操作によって前記印刷設定ウインドウ５７０上のヘルプボタン５８０を左クリックしてヘルプモードを設定し、その後前記コントロールＡ５１０上で再び左クリックすることで、前記コントロールＡ５１０についてヘルプ表示が実行される。Ｓ２の「ヘルプ表示操作」は、ユーザによる上記一連の操作を意味している。
【００２２】
ヘルプ表示操作が行われたと判断された場合（Ｓ２：Ｙ）にはＳ３に進む。逆にヘルプ表示操作が行われなかった場合（Ｓ２：Ｎ）はＳ１に戻る。
【００２３】
次に、Ｓ３における前記プリンタドライバプログラムの処理に関して具体的に説明する。図５は前記印刷設定ウインドウ５７０中のコントロールと、表示すべきヘルプがＩＤによって対応付けられている関連コントロール一覧を示す図である。前記関連コントロール一覧は前記ＨＤＤ２４０の前記プリンタドライバ記憶領域２５０に記憶されており、前記コントロールＡ５１０，前記コントロールＢ５２０，前記コントロールＣ５３０，前記コントロールＤ５４０，前記コントロールＥ５５０，前記コントロールＦ５６０のＩＤはそれぞれ「ＩＤ＿Ａ」，「ＩＤ＿Ｂ」，「ＩＤ＿Ｃ」，「ＩＤ＿Ｄ」，「ＩＤ＿Ｅ」，「ＩＤ＿Ｆ」で、それぞれが表示すべきヘルプ内容に応じたヘルプＩＤと対応づけられている。
【００２４】
Ｓ３では、前記ＣＰＵ２１０は前記関連コントロール一覧から、表示すべきヘルプのコントロールＩＤに関連する関連コントロールＩＤのみを抜き出し、関連するコントロールのみからなる関連コントロールＩＤ表として新たに前記ＲＡＭ２３０上に展開する。ここでは前記コントロールＡ５１０についてヘルプ表示操作が実行されたので、前記ＣＰＵ２１０は前記関連コントロール一覧から「ＩＤ＿Ａ」と対応付けられたヘルプ内容に関する前記ヘルプＩＤ「ＩＤＨＬＰ＿Ａ」と、同じ前記ヘルプＩＤ「ＩＤＨＬＰ＿Ａ」と対応づけられた前記コントロールＩＤ「ＩＤ＿Ｂ」と「ＩＤ＿Ｆ」を抜き出し、前記ＲＡＭ２３０上に展開する。
【００２５】
その後Ｓ４に進み、前記関連コントロールＩＤ表に含まれる前記コントロールが前記印刷設定ウインドウ５７０上のどの位置にあるか特定する。コントロールの位置情報は前記ＯＳ記憶領域２７０に記憶されたオペレーションシステムから取得される。前記ＣＰＵ２１０はそれぞれの位置情報を上述した前記ＲＡＭ２３０上の前記関連コントロールＩＤ表に記載する。
【００２６】
図６はＳ３からＳ４の処理にて得られたコントロールＩＤ表である。ヘルプの内容に関連する前記コントロールと、表示すべきヘルプの前記ヘルプＩＤがそれぞれ「ＩＤ＿Ａ」と対応付けされている。
【００２７】
その後Ｓ５に進み、表示すべきヘルプのヘルプＩＤを調べる。ここではコントロールＡ５１０が操作されたので、前記ＣＰＵ２１０は表示すべきヘルプのＩＤ「ＩＤＨＬＰ＿Ａ
」に対応するヘルプの内容を前記プリンタドライバ記憶領域２５０から検索する。
【００２８】
その後Ｓ６に進み、前記ヘルプＩＤに従ってヘルプ内容を含む前記ヘルプウインドウを作成する。前記ヘルプウインドウは前記コントロールＡ５１０の下の部分（ヘルプ表示原点左上から右下に向かって）に配置される。このステップでは、前記ヘルプウインドウはまだ前記ディスプレイ１５０に表示されていない。
【００２９】
その後Ｓ７に進み、前記関連コントロールＩＤ表に記載されたコントロールの位置と前記ヘルプウインドウの位置を比較し、両者の位置が重なるかを判断する。重なると判断（Ｓ７：Ｙ）されたコントロールについては、Ｓ８に進み、前記ヘルプウインドウを前記ディスプレイ１５０に表示する際に透過されて表示される。
【００３０】
重ならないと判断された場合（Ｓ７：Ｎ）はＳ９に進み、前記ヘルプウインドウは不透過に表示される。従って関連しない他のコントロールや印刷設定ウインドウ５７０の重なっている部分が透過して表示されることがない。その後Ｓ１４に進み、前記ヘルプウインドウ７１０を閉じるか判断し、ユーザの操作により閉ボタン７７０がクリックされて、閉じると判断された場合（Ｓ１４：Ｙ）は前記ヘルプウインドウ７１０を閉じ、ヘルプに関する処理を終了する。また、閉じられていないと判断された場合（Ｓ１４：Ｎ）は閉じられるまで、表示状態を継続する。
【００３１】
図７は前記ヘルプウインドウ７１０を表示するときの印刷設定表示画面の簡略図である。二点鎖線の領域は、前記ヘルプウインドウ７１０が表示される領域を示す。図７のように、前記ヘルプウインドウ７１０を展開すると前記コントロールＦ５６０が重なっているので、前記コントロールＦ５６０の領域が透過領域となる。また、前記コントロールＣ５３０、前記コントロールＤ５４０、前記コントロールＥ５５０は、不透過領域となる。
【００３２】
図８は、透過処理を行ったときの印刷設定表示画面の簡略図である。重なったコントロールのうち、前記コントロールＦ５６０のみが前記印刷設定ウインドウ５７０から透過され、それ以外のコントロールは透過されていない。以上の処理により、前記ヘルプウインドウ７１０の判読性を向上させることができる。
【００３３】
次に、透過されたコントロール上でユーザによる操作がなされた場合の処理について説明する。図８において、ユーザのマウス操作により前記コントロールＦ５６０が操作される。Ｓ１０にてユーザの操作により発生した操作内容が前記プリンタドライバ記憶領域２５０に送られ、ユーザに操作された座標は前記ＣＰＵ２１０により前記プリンタドライバ記憶領域２５０に記憶されたコントロールの座標と重なるか比較される。具体的には関連コントロールＩＤ表に記載されたコントロール位置上で操作が行われたかを判断する。操作が行われなかったと判断された場合（Ｓ１０：Ｎ）にはＳ１３に進む。
【００３４】
操作が行われたと判断された場合（Ｓ１０：Ｙ）はＳ１１に進み、操作内容が該当するコントロールに転送される。Ｓ１２にてコントロールは転送された操作内容に従って動作する。
【００３５】
上記Ｓ１〜Ｓ１２までの処理が終わったらＳ１３にて前記ヘルプウインドウ７１０を閉じるか判断し、ユーザの操作により閉ボタン７７０がクリックされて、閉じると判断された場合（Ｓ１３：Ｙ）は前記ヘルプウインドウ７１０を閉じ、ヘルプに関する処理を終了する。また、閉じられていないと判断された場合（Ｓ１３：Ｎ）は閉じられるまで、表示状態を継続する。
【００３６】
以上の処理により、表示すべきヘルプ内容と関連するコントロールのみを透過できるの
でヘルプの判読性が向上する。
【００３７】
（第二の実施例）
次に、ヘルプの内容が透過されたコントロールと重なった場合に文字が重ならない位置に調整する処理について説明する。図９は前記ＣＰＵ２１０が前記ＨＤＤ２４０に記憶された前記プリンタドライバプログラムに基づいて実行する文字位置調整に関する処理を表すフローチャートである。ヘルプの透過表示に関する処理については図３のフローチャートと略同じなので、詳細な説明を割愛する。
【００３８】
Ｓ１７において、ヘルプ内容８１０と、透過される前記コントロールＦ５６０の領域が重複するかを判断する。重なったと判断された場合（Ｓ１７：Ｙ）は、Ｓ１８にて前記コントロールＦ５６０の透過領域を避けて前記ヘルプ内容８１０を前記ヘルプウインドウ７１０に展開する。重なっていない場合（Ｓ１７：Ｎ）はＳ１９に進み、透過領域を除く前記ヘルプウインドウ７１０の背景を不透過に塗りつぶし、前記ヘルプウインドウ７１０を描画する（Ｓ２０）。
【００３９】
図８は前記ヘルプ内容８１０と透過された前記コントロールＦ５６０が重なった状態で画面表示されている。図では透過された前記コントロールＦ５６０の領域と前記ヘルプ内容８１０の２行目が重複する部分がある。このとき前記プリンタドライバプログラムは前記ヘルプ内容８１０と前記コントロールＦ５６０が重複すると判断し（Ｓ１７：Ｙ）、前記ヘルプ内容８１０の２行目以降をコントロール領域にかからなくなるまで行送りされる（Ｓ１８）。
【００４０】
図１０は文字位置を調整した後の画面表示の例である。Ｓ１８の処理によって前記ヘルプウインドウ７１０のサイズが変更されたので、Ｓ１５に戻り、再び前記ヘルプ内容８１０と、それに関連するコントロールが重複するかを判断する。図１０ではこれ以上重複するコントロールはない（Ｓ１７：Ｎ）ため、Ｓ１９に進み、透過領域を除く前記ヘルプウインドウ７１０の背景を不透過に塗りつぶし、前記ヘルプウインドウ７１０を描画する（Ｓ２０）。
【００４１】
文字位置調整の方法は、この他にもコントロールのサイズや前記ヘルプ内容８１０によって別の形態をとってもよい。図１１は、前記ヘルプ内容８１０の文字位置調整手段の変形例である。図のように改行せずに重複した文字のみを送り文字位置を調整してもよい。
【００４２】
この第二の実施例の場合、コントロールとヘルプウインドウの文字が重なることはないので、判読性や操作性がより向上する。
【００４３】
以上、実施形態に基づき本発明を説明したが、本発明は上記実施形態に何ら限定されるものではなく、本発明の趣旨を逸脱しない範囲内で種々の改良変形が可能である。例えば、本実施例ではユーザの入力手段でマウスを用いたが、キーボードを用いても良い。
【図面の簡単な説明】
【００４４】
【図１】図１はパソコンと、プリンタの外観図である。
【図２】図２はヘルプ表示装置におけるハードの構成を表すブロック図である。
【図３】図３は透過ヘルプ表示に関する処理を表すフローチャートである。
【図４】図４は印刷設定ウインドウの表示画面の簡略図である。
【図５】図５は印刷設定ウインドウ中のコントロール一覧表を示す図である。
【図６】図６はコントロールＩＤ表を示す図である。
【図７】図７は印刷設定ウインドウの表示画面の簡略図である。
【図８】図８は印刷設定ウインドウの表示画面の簡略図である。
【図９】図９は文字位置調整に関する処理を表すフローチャートである。
【図１０】図１０は印刷設定ウインドウの表示画面の簡略図である。
【図１１】図１１はヘルプ文章の文字位置調整手段の変形例を表す図面である。
【図１２】図１２は従来のヘルプウインドウを透過したときの画面表示の図である。
【符号の説明】
【００４５】
１１０  パソコン
１６０  プリンタ
５７０，１２１０  印刷設定ウインドウ
７１０，１２２０  ヘルプウインドウ
５１０  コントロールＡ
５２０  コントロールＢ
５３０  コントロールＣ
５４０  コントロールＤ
５５０  コントロールＥ
５６０  コントロールＦ
５８０  ヘルプボタン
７７０  閉ボタン
【図１】
0004894727.tif 000002
【図２】
0004894727.tif 000003
【図３】
0004894727.tif 000004
【図４】
0004894727.tif 000005
【図５】
0004894727.tif 000006
【図６】
0004894727.tif 000007
【図７】
0004894727.tif 000008
【図８】
0004894727.tif 000009
【図９】
0004894727.tif 000010
【図１０】
0004894727.tif 000011
【図１１】
0004894727.tif 000012
【図１２】
0004894727.tif 000013